(57)【要約】      （修正有）【課題】  混注管を取り替えることなく採血、点滴、液剤の注入が安定して繰り返し行えるようにする。【解決手段】  管本体１１に分岐管部１２が接近、離反可能に接続され、分岐管部１２は、弾力材よりなり通常は閉じるスリット部３２を持つ弁本体３１と、そのスリット部３２を嵌入することで開く弁開閉体４０と、その弁開閉体４０の戻り用付勢体７０とを備え、管本体１１に分岐管部が接近位置で接続されている場合には、弁開閉体４０が戻り用付勢体７０の付勢力に抗して弁本体３１のスリット部３２を嵌入することで開き、その接近位置から離反位置になる際には戻り用付勢体７０の付勢力により弁開閉体４０が戻ることで弁本体３１のスリット部３２が閉じられるように構成されてなる混注管。【選択図】図１
2009119210.tif 000002
【特許請求の範囲】
【請求項１】
管本体に分岐管部が接近、離反可能に接続され、
前記分岐管部は、弾力材よりなり通常は閉じるスリット部を持つ弁本体と、そのスリット部を嵌入することで開く弁開閉体と、その弁開閉体の戻り用付勢体とを備え、
前記管本体に前記分岐管部が接近位置で接続されている場合には、前記弁開閉体が前記戻り用付勢体の付勢力に抗して前記弁本体のスリット部を嵌入することで開き、その接近位置から離反位置になる際には前記戻り用付勢体の付勢力により前記弁開閉体が戻ることで前記弁本体のスリット部が閉じられるように構成されてなる混注管。
【請求項２】
前記分岐管部への注射器等の接続部に、前記弁開閉体と一体に移動するシール材が取り付けられてなる請求項１記載の混注管。
【発明の詳細な説明】
【技術分野】
【０００１】  この発明は、点滴及び人工透析等において血液の抽出、薬液の注入等を行うために用いられる混注管に関する。
【背景技術】
【０００２】  従来より、人工透析での血液抽出等のために、体外に形成した血液管路の途中に分岐路を設けるための混注管が用いられる。この種のものとして注射器の接続状態において流路を遮断、開放でき、混注管を取り替えることなく採血、点滴、液剤の注入が繰り返し行える構成が提案されている。
【特許文献１】特開２００７−１１７２１０
【発明の開示】
【０００３】  しかしながら、上記従来構成の場合、採血、点滴、薬剤の注入を行った後の待機時に流路が確実に遮断されないという問題が発生する恐れがあった。
【発明が解決しようとする課題】
【０００４】  この発明は、混注管を取り替えることなく採血、点滴、液剤の注入が安定して繰り返し行えるようにすることを目的とする。
【課題を解決するための手段】
【０００５】  この発明では、管本体に分岐管部が接近、離反可能に接続され、前記分岐管部は、弾力材よりなり通常は閉じるスリット部を持つ弁本体と、そのスリット部を嵌入することで開く弁開閉体と、その弁開閉体の戻り用付勢体とを備え、前記管本体に前記分岐管部が接近位置で接続されている場合には、前記弁開閉体が前記戻り用付勢体の付勢力に抗して前記弁本体のスリット部を嵌入することで開き、その接近位置から離反位置になる際には前記戻り用付勢体の付勢力により前記弁開閉体が戻ることで前記弁本体のスリット部が閉じられるように構成されてなる混注管を提供する。
【０００６】  上記構成の混注管によれば、管本体に分岐管部が接近位置で接続されている場合には、弁開閉体が弁本体を嵌入することでスリット部を開き、これにより内部の分岐流路がつながる状態となって採血等が可能となる。その接近位置から離反位置になる際には戻り用付勢体の付勢力により弁開閉体が戻ることで弁本体のスリット部が閉じられて内部の分岐流路は閉じられる。このようして混注管は内部の分岐流路の開放、遮断の両状態がスムーズに確実に切り換えられる。戻り用付勢体としては金属製のコイルバネや弾性ゴム材等が適宜の形態において用いられる。分岐管部への注射器等の接続部に弁開閉体と一体に移動するシール材が取り付けられる構成とすることで、その部分での外部への血液等の液体の漏れが防止される。
【発明の効果】
【０００７】  この発明によれば、混注管は内部の分岐流路の開放、遮断の両状態がスムーズに確実に切り換えられることで、混注管を取り替えることなく採血、点滴、液剤の注入が安定して繰り返し行えるようになる。
【発明を実施するための最良の形態】
【０００８】  図１はこの発明の混注管の実施形態の断面正面図、図２は同待機位置Ｐ２の状態を示す断面正面図、図３は同流通位置Ｐ１の状態を示す断面正面図、図４はこの発明の混注管の実施形態の部分拡大断面図、図５は弁開閉体のシール材を外した状態の平面図、図６はキャップ部材の一部切り欠き平面図、図７はキャップ部材の断面正面図、図８はキャップ部材５０の待機位置と流通位置との状態を示す断面図、図９はキャップ部材５０の待機位置と流通位置との切り換え状態を示す側面図、図１０は弁本体を示す図である【０００９】  混注管１は主流路ＳＲを形成する管本体１１、管本体１１の胴部２１に接続されて主流路ＳＲから分岐する分岐流路ＢＲを形成する分岐管部１２とからなる。管本体１１は樹脂材よりなり略円筒状で両端に配管部材それぞれに接続するポート２２、２３を備えている。【００１０】  分岐管部１２は、ゴム材よりなり通常は閉じるスリット部３２を持つ弁本体３１と、そのスリット部３２を嵌入することで開く弁開閉体４０と、その弁開閉体４０の戻り用バネ７０とを備えている。弁開閉体４０は外側筒部材４１と、その外側筒部材４１の内側に同心状に配置され外側筒部材４１に対して軸方向に相対移動可能な内側作動体４２とからなる。【００１１】  外側筒部材４１は円錐面状に形成された内周面４１１を備え、内側作動体４２はその内周面４１１と密着可能な外周面４２１を備え、外側筒部材４１と内側作動体４２とが相対移動することでそれらの間に隙間が形成されこれによって内部流路ＢＮが形成される。【００１２】  内側作動体４２は外側筒部材４１に対して軸方向の外方に突出して設けられ、図２〜図４に示すように注射器ＴＫを取り付けた時に、その注射器ＴＫの口部ＴＫＫの先端が内側作動体４２と外側筒部材４１とが軸方向に相対移動して内部流路ＢＮが形成されるようになっている。【００１３】  外側筒部材４１の外方の端部には、注射器ＴＫの口部ＴＫＫの先端が嵌入される凹部８１が設けられたゴム製の環状のシール材８０が装着されており、その凹部８１に注射器ＴＫの口部ＴＫＫの先端が弾力的に嵌入される。また、外側筒部材４１にはその上部外周位置に環状のバネ係止部７１が一体に突設され、そのバネ係止部７１と後に説明する保持部材３４との間に戻り用付勢体としてのコイル状の戻り用バネ７０が装着され、これにより外側筒部材４１は弁本体３１から離反する方向に付勢されている。【００１４】  内側作動体４２の外方の端部には、その中央に注射器ＴＫの口部ＴＫＫの内径より小さい外径を有する半球状の突起４２２が設けられ、且つ、突起４２２をも含めた位置に内側作動体４２の外周面を連通する溝４２３が形成されている。【００１５】  弁本体３１は管本体１１に一体に設けられた略円筒状の分岐管基部３３の中に配置されている。分岐管基部３３にはその外周面に外嵌して軸方向および回転方向に摺動可能なキャップ部材５０が外嵌装着されている。【００１６】  キャップ部材５０はキャップ本体５１とスリーブ部５２とを備え、２段の有底円筒状である。スリーブ部５２の外周面には注射器ＴＫのロック用カラーＴＫＣの雄ねじＴＫＭに螺合して係合する係合部片５２２が設けられている。係合部片５２２は図６に示すようにスリーブ部５２の外周面の１８０度ずれた位置それぞれに２個設けられている。【００１７】  注射器ＴＫの雄ネジＴＫＭを係合部片５２２に係合させたときに、その注射器ＴＫの口部ＴＫＫの先端が外側筒部材４１の上端に装着されたシール材７０および内側作動体４２の突出端に当接して押し、図２〜図４に示すようにそれらをスリーブ部５２の内方に弁開閉体４０を戻り用バネ７０と弁本体３１との付勢力に抗して押し込む。【００１８】  スリーブ部５２の内周面５２１は円錐面状に形成され、外側筒部材４１の外周面４１４はスリーブ部５２の内周面５２１と密着可能な円錐面状に形成されている。内側作動体４２は弁本体３１の弾性力によって軸方向の外方に向かうように付勢されており、これによって注射器ＴＫを取り付けない状態において内側作動体４２の外周面４２１が外側筒部材４１の内周面４１１と密着してシールされる。また、この状態においては外側筒部材４１はバネ係止部７１の上面がキャップ部材５０の段部５９の下面に係止することで位置決めされ、また、シール部材８０がスリーブ部５２内面と内側作動体４２の上端より少し下の位置の周面との間をシールしている。【００１９】  キャップ本体５１の内周面の下部には、その内周面から半径方向の内方へ突出する係止突起５１１が設けられている。分岐管基部３３の外周面には係止突起５１１と軸方向に当接することによってキャップ部材５０を流通位置Ｐ１および待機位置Ｐ２において保持するための保持突起３３１、３３２が設けられている。また、分岐管基部３３の外周面には、係止突起５１１と当接してキャップ部材５０の周方向の回転角度を規制するためのストッパー３３３が設けられている。【００２０】  さらに詳細に説明する。弁本体３１は分岐管基部３３の内側に圧縮された状態で収納されている。弁本体３１の上部には弁本体３１が抜けるのを防止するための保持部材３４が設けられている。保持部材３４は円環状であり、分岐管基部３３の上端部の内周面に設けられた突起部３３４を弾性変形により乗り越えて嵌めこまれている。【００２１】  図１０に示されるように、弁本体３１は円柱状の胴部３１１の上部に円板状の突出部３１２が、下部に円錐台状の突出部３１３がそれぞれ一体に備えられている。スリット部３２は弁本体３１の上部から下部に貫通するように設けられている。【００２２】  図１、図２、図３の状態をそれぞれ説明する。図１の状態では、内側作動体４２の先端が少し弁本体３１のスリット部３２に挿入されるがスリット部３２は密着状態に閉じている。図２に示すように、内側作動体４２が待機位置にあるとき内側作動体４２はスリット部３２を貫通するが、外側筒部材４１はスリット部３２の中にありそのため内部流路ＢＮを形成する隙間の下方の開口部はスリット部３２内に位置して塞がれ、内部流路ＢＮはスリット部３２内において閉じられた状態である。図３に示すように弁開閉体４０が流通位置Ｐ１にあるときに内側作動体４２および外側筒部材４１のいずれもがスリット部３２を貫通し、そのため内部流路ＢＮの下方開口部は主流路ＳＲに露出する。この状態で内部流路ＢＮを含んで形成される分岐流路ＢＲは主流路ＳＲと連通し、これによって主流路ＳＲに流れる流体は分岐流路ＢＲにも流入する。分岐流路ＢＲに流入した流体は、凹溝４２３を通って口部ＴＫＫの内部へと流入可能となる。【００２３】  図４、図５に示すように、内側作動体４２上端部に設けられた半球状の突起４２２は、口部ＴＫＫの開口部の中に突入することが可能である。したがって、図１に示す状態から注射器ＴＫの口部ＴＫＫを取り付け部ＴＢに取り付けようとする際に、口部ＴＫＫの開口部の中に突起４２２が入るようにあてがい、その状態で下方に押し下げることで口部ＴＫＫと突起４２２とが係合してこれらが外れることなく弁開閉体４０をスリーブ５２の中へ押し込むことができる。押し込んだ状態で注射器ＴＫを回転させてその雄ネジＴＫＭを係合部片５２２に螺合させることで図２〜図４に示すように注射器ＴＫが取り付けられる。【００２４】  その状態では注射器ＴＫの口部ＴＫＫの先端部がシール材８０の凹部８１内に弾力的に嵌入されてシールが行われるので、分岐流路ＢＲと口部ＴＫＫとが密に結合される。その際凹溝４２３が突起４２２の部分にも形成されているので、突起４２２によって口部ＴＫの開口部が塞がれてしまうことはない。【００２５】  図１に示すように、注射器ＴＫを取り付けない状態においては内側作動体４２の下端部は弁本体３１の中に若干入り込んでおり、この状態においては外側筒部材４１がバネ係止部７１に位置決めされているので内側作動体４２は弁本体３１に押し上げられることで内側作動体４２の外周面４２１が外側筒部材４１の内周面４１１に押し付けられ、それらの間が密着してシールされる。外側筒部材４１の外周面４１４とスリーブ部５２の内周面５２１間はシール部材７０によりシールされる。【００２６】  図７に示すように、キャップ部材５０の係止突起５１１はキャップ本体５１の内周面に設けられた環状体が２か所において切り欠かれた状態に形成され、これにより係止突起５１１は２つ設けられている。分岐管基部３３の外周面に設けられた保持突起３３２およびストッパー３３３も周方向の互いに１８０度変位する位置に２つずつ設けられており、２つの係止突起５１１の端部が２つの保持突起３３２およびストッパー３３３と係合する。また、キャップ本体５１の下端縁には２つの切り欠き部５１２が設けられている。【００２７】  キャップ部材５０は分岐管基部３３の外周面を摺動可能であるが、キャップ本体５１の内周面に設けられた係止突起５１１が分岐管基部３３の外周面に設けられた保持突起３３１と係合することによって軸方向の抜け止めが図られている。なお、キャップ部材５０を分岐管基部３３に装着する際には、それらの弾性的変形によって互いに乗り越えて嵌め込まれる。このキャップ部材５０を回転させ且つ軸方向に移動させることにより、その待機位置Ｐ２と流通位置Ｐ１とを切り換えることができる。【００２８】  すなわち、図８（Ａ）、図９（Ａ）に示すように、係止突起５１１が保持突起３３１との間にあるときは図２に示す状態の待機位置であり、その状態でロックされている。キャップ部材５０を左回転させ、図９（Ｂ）に示すように係止突起５１１を保持突起３３２から離し、その状態で押し込んで図９（Ｃ）に示すように係止突起５１１を保持突起３３２よりも下方に位置させ、この状態で右回転させることによって図８（Ｂ）および図９（Ｄ）に示すように、係止突起５１１が保持突起３３２の下面に係合し、図３に示す状態の流通位置Ｐ１となり、この状態でロックされる。流通位置Ｐ１から待機位置Ｐ２への切り換えは上記と逆の操作を行う。【００２９】  混注管１の使用方法を説明する。まず混注管１の管本体１１を例えば輸血流路の途中に接続しておく。キャップ部材５０は待機位置Ｐ２としておく。この状態では分岐流路ＢＲは弁本体３１によって閉ざされており、血液等の外部への流出はない。採血や薬液の注入のために注射器ＴＫを取り付ける。これにより図２に示す状態となるが、この状態においても内部流路ＢＮは主流路ＳＲに接続されておらず、血液等の外部への流出はない。そこでキャップ部材５０を流通位置に切り換えることによって、図３に示す状態となり、内部流路ＢＮが主流路ＳＲに接続されて分岐流路に血液が流入する。この状態で注射器ＴＫによる採血や薬液の注入を行う。１回目の採血等が終わると、注射器を取り付けた状態のままキャップ部材５０を待機位置Ｐ２に切り換える。これによって、内部流路ＢＮは主流路ＳＲから再び遮断される。【００３０】  上記の流通位置Ｐ１から待機位置Ｐ２への切り換えの際には、戻り用バネ７０のバネ力により外側筒部材４１が押し上げられ、また、シール材８０が内側作動体４２の上端近傍の周面に弾力的に密着してそれを把持していることで、内側作動体４２も外側筒部材４１と一体に上昇するシール材８０とともに上昇し、これにより弁開閉体４０はスムーズに上昇する。【００３１】  ２回目以降の採血等を行うときには、キャップ部材５０を流通位置Ｐ１に切り換えて必要な作業を行う。全ての採血等が終われば、待機位置Ｐ２に切り換えた状態で注射器ＴＫＫを取り外す。【００３２】  このように、待機位置Ｐ２と流通位置Ｐ１とを切り換えることによって、注射器ＴＫを取り付けた状態で何回も採血等が行える。注射器ＴＫを取り外さないことで操作が極めて簡単に行えるとともに、部材の表面に付着した血液による衛生上の問題も発生しない。また、１個の混注管１で何度も採血等が行えるので、混注管１の使用個数が大幅に低減するとともに使用済みの混注管の廃棄の手間も少なくなり、これにともなってコストも大幅に低減される。
【図面の簡単な説明】
【図１】この発明の混注管の断面正面図
【図２】混注管の待機位置の状態の断面正面図
【図３】混注管の流通位置の状態の断面正面図
【図４】図２の一部拡大断面図
【図５】弁開閉体のシール材を外した状態の平面図
【図６】キャップ部材の一部切り欠き平面図
【図７】キャップ部材の断面正面図
【図８】キャップ部材の待機位置と流通位置との状態を示す拡大断面図
【図９】キャップ部材の待機位置と流通位置との切り換え状態の側面図
【図１０】弁本体の形状を示す図
【符号の説明】
１      混注管
１１    管本体
１２    分岐管部
３１    弁本体
３２    スリット部
４０    弁開閉体
７０    戻り用バネ（戻り用付勢体）
【図１】
2009119210.tif 000003
【図２】
2009119210.tif 000004
【図３】
2009119210.tif 000005
【図４】
2009119210.tif 000006
【図５】
2009119210.tif 000007
【図６】
2009119210.tif 000008
【図７】
2009119210.tif 000009
【図８】
2009119210.tif 000010
【図９】
2009119210.tif 000011
【図１０】
2009119210.tif 000012